(57)【要約】      （修正有）【課題】防水部品に寸法上の個体差があっても、均等な押圧力で防水部材が押圧されて防水機能を損なうことなく、かつ、容易に電子機器の筐体に基板を取り付けられる基板の取付構造を提供する。【解決手段】電子機器１０への基板の取付構造１は、電子機器のロアケース５と、ロアケースに取り付けられる第１基板４と、第１基板に搭載され、ロアケースの貫通孔５ａに嵌入される防水部材６ａを有する防水部品６と、を備える。ロアケースが、第１基板を介して防水部材の反発力を受け止める係止壁５ｂと、第１基板に係合するリブ５ｃとを有し、第１基板が、ロアケースの貫通孔からみて反対側の周縁の一方側領域４１において係止壁を押圧する押圧端面４ａと、リブの径よりも大きな幅を有し、周縁の他方側領域４２においてリブに係合して位置決めをする切欠き４ｂとを有する。【選択図】図１
2019067891.tif 000002
【特許請求の範囲】
【請求項１】
電子機器への基板の取付構造であって、
前記電子機器のロアケースと、
前記ロアケースに取り付けられる第１基板と、
前記第１基板に搭載され、前記ロアケースの貫通孔に嵌入される防水部材を有する防水
部品と、を備え、
前記ロアケースが、前記第１基板を介して前記防水部材の反発力を受け止める係止壁と
、前記第１基板に係合するリブとを有し、
前記第１基板が、前記ロアケースの前記貫通孔からみて反対側の周縁の一方側領域にお
いて前記係止壁を押圧する押圧端面と、前記リブの径よりも大きな幅を有し、前記周縁の
他方側領域において前記リブに係合して位置決めをする切欠きとを有する、ことを特徴と
する基板の取付構造。
【請求項２】
前記防水部材が前記貫通孔に挿入されて前記第１基板が前記ロアケースに仮止めされた
状態で、前記防水部品が上方から第２基板によって押圧されることを特徴とする請求項１
に記載の基板の取付構造。
【請求項３】
前記防水部品がイヤホンジャックであり、前記第１基板がイヤホンジャック基板である
ことを特徴とする請求項１又は２に記載の基板の取付構造。
【発明の詳細な説明】
【技術分野】
【０００１】
本発明は、電子機器への基板の取付構造、特に、防水を必要とする電子部品が搭載され
た基板を電子機器に取り付ける取付構造に関する。
【背景技術】
【０００２】
従来より、防水構造を有する電子部品が搭載された基板を電子機器の筐体へ取り付ける
取付構造が知られている（例えば、特許文献１参照）。特許文献１は、ホルダーを用いる
ことなくコネクタを仮止めすることのできる防水コネクタ構造として、フレキシブル基板
に防水コネクタを搭載し、このフレキシブル基板を電子機器の筐体に取り付ける際に防水
コネクタを筐体の取付孔に挿入して、フレキシブル基板の両側部にある規制部を筐体の開
口部側に押し付けて取り付けることにより、防水機能を損なうことなくかつ容易に取り付
ける発明を開示している。
【０００３】
しかしながら、防水コネクタに設けられた防水部材やフレキシブル基板は、通常、製造
過程に生じる個体差があるものであり、僅かながら寸法が異なるのが一般的である。その
ため、規制部によって完全に押し付けられると、個体によっては、必ずしも均等な押圧力
で防水部材が押圧されず防水機能が十分になされない場合があるという問題があった。
【先行技術文献】
【特許文献】
【０００４】
【特許文献１】特許第６０８８９５８号公報
【発明の概要】
【発明が解決しようとする課題】
【０００５】
本発明は、かかる課題に鑑みなされたものであり、防水部材を有する防水部品に寸法上
の個体差があっても、均等な押圧力で防水部材が押圧されて防水機能を損なうことなく、
かつ、容易に電子機器の筐体に基板を取り付けられる基板の取付構造を提供することを目
的とする。
【課題を解決するための手段】
【０００６】
上記した課題を解決するために、本発明は、以下の態様によって把握される。
（１）本発明に係る態様は、電子機器への基板の取付構造であって、前記電子機器のロア
ケースと、前記ロアケースに取り付けられる第１基板と、前記第１基板に搭載され、前記
ロアケースの貫通孔に嵌入される防水部材を有する防水部品と、を備え、前記ロアケース
が、前記第１基板を介して前記防水部材の反発力を受け止める係止壁と、前記第１基板に
係合するリブとを有し、前記第１基板が、前記ロアケースの前記貫通孔からみて反対側の
周縁の一方側領域において前記係止壁を押圧する押圧端面と、前記リブの径よりも大きな
幅を有し、前記周縁の他方側領域において前記リブに係合して位置決めをする切欠きとを
有する、ことを特徴とする。
【０００７】
（２）上記（１）に記載の構成において、前記防水部材が前記貫通孔に挿入されて前記第
１基板が前記ロアケースに仮止めされた状態で、前記防水部品が上方から第２基板によっ
て押圧される。
【０００８】
（３）上記（１）又は（２）に記載の構成において、前記防水部品がイヤホンジャックで
あり、前記第１基板がイヤホンジャック基板である。
【発明の効果】
【０００９】
本発明によれば、防水部材を有する防水部品に寸法上の個体差があっても、均等な押圧
力で防水部材が押圧されて防水機能を損なうことなく、かつ、容易に電子機器の筐体に基
板を取り付けられる基板の取付構造を提供することができる。
【図面の簡単な説明】
【００１０】
【図１】本発明の実施形態に係る基板の取付構造を適用した電子機器の一例を分解して示す斜視図である。
【図２】図１の基板の取付構造を拡大して示す平面図であって、（ａ）は取付構造の全体を拡大して、（ｂ）は（ａ）の範囲Ｂをさらに拡大して、それぞれ示す。
【図３】図２（ａ）のＡ−Ａ線断面を拡大して示す断面図である。
【図４】図２（ａ）の基板の取付構造を拡大して示す斜視図である。
【発明を実施するための形態】
【００１１】
以下、添付図面を参照して、本発明の実施形態について詳細に説明するが、各図におい
て、同一符号は同一又は対応する部分を示す。また、本発明は、以下の説明からも明らか
なようにこれらの実施形態に限定されるものではなく、発明の要旨の範囲内において当業
者であれば種々の変形が可能である。
【００１２】
（電子機器の全体構成）
まず、本実施形態に係る基板の取付構造１を備える電子機器について、説明する。以下
では、電子機器１０がコードレス電話子機である場合について説明するが、これに限られ
るものではない。電子機器１０は、例えば、スマートフォン、携帯電話機、タブレット型
端末、音楽プレーヤ、ゲーム機などであってもよい。
【００１３】
電子機器１０は、アッパケース２と、第２基板３と、第１基板４と、ロアケース５を備
えている。アッパケース２には、操作に必要な各種ボタン２ａや液晶画面２ｂなどが設け
られている。第２基板３には、送受信に必要な回路（不図示）が設けられている。第１基
板４には、防水部品６及び基板間コネクタ７が搭載されている。ロアケース５には、第１
基板４及び第２基板３のほかにもバッテリや各種電子部品等を収容する構造が施されてい
る。なお、第１基板４は、本実施形態に係る基板の取付構造１において防水構造が付与さ
れる基板を、第２基板３は、電子機器１０の機能を発揮する回路を有する主基板である。
【００１４】
（基板の取付構造）
基板の取付構造１は、上記の要素のうち、ロアケース５と、ロアケース５に取り付けら
れる第１基板４と、第１基板４に搭載された防水部品６とから構成される。
【００１５】
ロアケース５には、その壁面５１に、防水部品６を嵌入するための貫通孔５ａが設けら
れている。貫通孔５ａは、詳しくは後述するように、断面視において、ロアケース５の外
側から内側に向かって階段状に拡径している。ロアケース５の貫通孔５ａの内側には、後
述するように、第１基板４を介して防水部品６の防水部材６ａの反発力を受け止める係止
壁５ｂと、第１基板４に係合するリブ５ｃが設けられている。
【００１６】
第１基板４には、防水部品６、基板間コネクタ７及び当該基板に関する回路（不図示）
が搭載されている。図１では、防水部品６がイヤホンジャックである場合を示しており、
その場合、図示しない回路はイヤホンジャック回路となる。なお、防水部品６としては、
イヤホンジャックに限られるものではなく、それ以外にも、例えば、ミニＵＳＢ端子、Ｕ
ＳＢ端子などの種々のコネクタ類を採用することができる。
【００１７】
第１基板４は、ロアケース５の貫通孔５ａからみて反対側の周縁の一方側領域４１と、
同じく周縁の他方側領域４２を含む。一方側領域４１は基板間コネクタ７が搭載されてい
る側、他方側領域４２は防水部品６が搭載されている側である。なお、ここでは、一方側
領域４１が他方側領域４２よりもロアケース５の内側に突出している態様を図示している
が、第１基板４の形状は、図示されたものに限られない。
【００１８】
第１基板４は、基板間コネクタ７が搭載されている一方側領域４１に、ロアケース５の
係止壁５ｂを押圧する押圧端面４ａを有している。また、第１基板４は、防水部品６が搭
載されている他方側領域４２に、ロアケース５のリブ５ｃに係合して位置決めをする切欠
き４ｂを有している。切欠き４ｂは、リブ５ｃの径よりもわずかに大きい幅に形成されて
いる。
【００１９】
防水部品６は、ロアケース５の貫通孔５ａに挿入される突出部６ｂと、第１基板４上に
載置される基体部６ｃを有しており、突出部６ｂと基体部６ｃの間には防水部材６ａが設
けられている。防水部材６ａとしては、Ｏ−リングが好適に用いられ、その材質は、種々
のシリコーンゴムや樹脂などの中から、防水機能を発揮し、かつ、本実施形態に係る基板
の取付構造１に求められる反発力を考慮して、必要十分な弾性を有するものを選択すれば
よい。
【００２０】
上述したような構成の下、図２（ａ）は、第１基板４をロアケース５に取り付けた状態
を平面視で示している。第１基板４に搭載された防水部品６の突出部６ｂは、ロアケース
５の貫通孔５ａに挿入され、防水部材６ａは貫通孔５ａの内部に位置する。第１基板４の
一方側領域４１の押圧端面４ａはロアケース５の係止壁５ｂを押圧するとともに、他方側
領域４２の切欠き４ｂはロアケース５のリブ５ｃと係合する。
【００２１】
前述したとおり、切欠き４ｂは、図２（ｂ）に図２（ａ）の領域Ｂを拡大して示すよう
に、リブ５ｃの径よりもわずかに大きい幅に形成されており、リブ５ｃに対し「遊び」を
有している。これにより、防水部品６の寸法上の個体差が「遊び」に吸収され、防水部材
６ａが貫通孔５ａに対して均等に押圧されるように位置決めが自動調整されて、安定した
状態で仮止めされることとなる。
【００２２】
防水部品６と貫通孔５ａの構成について、図３を用いてさらに説明する。図３は、図２
（ａ）のＡ−Ａ線断面を示している。ロアケース５の貫通孔５ａは、前述したように、内
側に向かって階段状に拡径しており、図３に示すように、径が相対的に小さい外口５ａ１
と、径が相対的に大きい内口５ａ２とから構成されている。
【００２３】
他方、第１基板４に搭載される防水部品６は、前述したように、貫通孔５ａに挿入され
る突出部６ｂと、第１基板４に搭載される基体部６ｃとを有しており、突出部６ｂと基体
部６ｃの間には防水部材６ａが設けられている。より具体的には、図３に示すように、防
水部材６ａは、二条のフランジ部６ｄ１，６ｄ２の間に嵌め込まれており、防水部材６ａ
の径は、フランジ部６ｄ１，６ｄ２よりも大きい径に構成される。防水部品６の上面は、
第２基板３（図１参照）によって押圧されている。
【００２４】
防水部品６の突出部６ｂの径は貫通孔５ａの外口５ａ１の径に実質的に対応するととも
に、フランジ部６ｄ１，６ｄ２の径は貫通孔５ａの外口５ａ１の径よりも大きく、かつ、
内口５ａ２の径よりも小さく構成される。そして、防水部材６ａの径は内口５ａ２の径よ
りも大きく構成される。これにより、防水部品６の突出部６ｂがロアケース５の貫通孔５
ａに嵌入されると、外側のフランジ部６ｄ１が外口５ａ１と内口５ａ２の境界に係止され
るとともに、防水部材６ａが内口５ａ２の内壁面を押圧する状態となる。そうすると、白
抜き矢印Ｙ１で示すように、防水部品６にはロアケース５の内側に向かう反発力が発生す
る。
【００２５】
この反発力は、図４に示すように処理される。まず、第１基板４は、防水部品６の防水
部材６ａの反発により、Ｘ−Ｘ方向（ロアケース５の幅方向）及びＺ−Ｚ方向（ロアケー
ス５の厚み方向）には自動調整され、貫通孔５ａに対してその中央に位置決めされた状態
で仮止めされる。この状態では、Ｙ−Ｙ方向（ロアケース５の長手方向）については、防
水部品６ひいては第１基板４は、白抜き矢印Ｙ１で示すように、防止部材６ａの反発によ
ってロアケース５の内側に押し戻される。
【００２６】
ここで、防水部材６の基体部６ｃの上面を押し込むと、前述したとおり、第１基板４の
一方端領域４１の押圧端面４ａが防水部材６ａの反発力を上回るようにロアケース５の係
止壁５ｂを押圧し、他方端領域の切欠き４ｂがロアケース５のリブ５ｃに係合して、それ
ぞれに生ずる白抜き矢印Ｙ２，Ｙ３で示す応力によって、Ｙ−Ｙ方向が固定される。また
、第２基板３が防水部品６を押圧することによって、第１基板４を電子機器１０のＺ−Ｚ
方向に固定される。
【００２７】
切欠き４ｂは、前述したとおり、リブ５ｃの径よりもわずかに大きい幅に形成されてい
る。これにより、貫通孔５ａ、防水部材６ａ、防水部品６及び／又は第１基板４の寸法上
の個体差があっても、その個体差をリブ５ｃと切欠き４ｂの間の間隙で吸収することによ
り、防水部品６の防水部材６ａの反発力によって防水部材６ａが均等に押圧される状態に
自動調整され、安定した状態で固定される。このような構造により、防水部品６は、確実
に防水することができる。
【００２８】
（実施形態の効果）
以上のような構成としたことから、本実施形態に係る電子機器への基板の取付構造１は
、以下のような効果を奏する。
（１）第１基板４に搭載される防水機能を有する防水部品６ａ（電子部品）に寸法上の個
体差があった場合でも、第１基板４が遊びをもった状態で仮止めされ、防水部材６ａの反
発力により完全な位置決めがなされるような構造としたため、防水部材６ａが均等に押圧
され、簡単かつ確実に第１基板４をロアケース５に取り付けられることができる。
（２）第１基板４は、防水部材６ａの反発力を利用して固定されることから、ネジ止めな
どの固定部材が不要であり、電子機器１０の小型化を図ることができる。
（３）さらに、電子機器１０に第１基板４を取り付けた際には、第２基板３が防水部品６
を押圧することによって、第１基板４を電子機器１０の厚み方向に固定することができる
。
（４）さらに、防水部品６をイヤホンジャックとした場合、イヤホンジャックに効果的な
キャップレス防水を施すことができる。
【００２９】
以上、実施形態について説明したが、本発明は、具体的な実施形態に限定されるもので
はなく、種々の変更を行ったものも含まれるものであり、そのことは、当業者にとって特
許請求の範囲の記載から明らかである。
【符号の説明】
【００３０】
１…基板の取付構造
２…アッパケース
２ａ…ボタン、２ｂ…液晶画面
３…第２基板
４…第１基板
４１…一方端側の周縁、４２…他方端側の周縁、４ａ…押圧端面、４ｂ…切欠き
５…ロアケース
５ａ…貫通孔、５ａ１…外口、５ａ２…内口、５ｂ…係止壁、５ｃ…リブ
６…防水部品
６ａ…防水部材、６ｂ…突出部、６ｃ…基体部、６ｄ１…外側のフランジ部、６ｄ２…
内側のフランジ部
７…基板間コネクタ
１０…電子機器（コードレス電話子機）
【図１】
2019067891.tif 000003
【図２】
2019067891.tif 000004
【図３】
2019067891.tif 000005
【図４】
2019067891.tif 000006